(57)【特許請求の範囲】
【請求項１】
複数の脚柱の下端にそれぞれ脚ベース体を取付け、前記脚柱の上方に天板を支持するテーブルであって、前記脚柱の下端に下方が開口する凹部を設けると共に、前記脚ベース体には前記凹部と嵌合する凸部を設け、互いに嵌合する前記凹部と凸部に、前記脚ベース体が前記脚柱に対して任意の角度位置に位置決めできる相互係合手段を設け、前記脚柱が円筒パイプであり、前記脚ベース体の前記凸部が円筒体であることを特徴とするテーブル。
【請求項２】
前記相互係合手段が、前記脚柱の前記凹部内に脚の軸方向に延びる凸条と、前記脚ベース体の前記凸部の外周部に脚の軸方向に延びる凹条から成る請求項１に記載のテーブル。
【請求項３】
前記凹条は、前記脚ベース体が前記脚柱に対して１５度もしくは１５度の整数倍の角度位置で位置決めできるように形成されている請求項２に記載のテーブル。
【請求項４】
隣り合う前記脚ベース体の間には、脚ベース体に対して任意の回動位置に固定できる脚ベース連結体が配置されている請求項１ないし３のいずれかに記載のテーブル。
【請求項５】
前記脚柱と前記脚ベース体と前記脚ベース連結体とは、前記脚柱を貫通する１本のねじで一体に取付けられている請求項４に記載のテーブル。
【発明の詳細な説明】
【０００１】
【発明の属する技術分野】
本発明は、脚柱の下端に設けた脚ベース体を、脚柱に対して任意の角度位置に位置決めできるテーブルに関する。
【０００２】
【従来の技術】
従来の脚柱に対し脚ベース体を取付ける場合に、脚ベース体の取付け角度位置を決める手段として、例えば、図７に示すように、脚柱１の外周に多数の上下方向の溝１ａを設け、この溝１ａに脚ベース体２に設けた凸条嵌合部２ａを摺動係合させた上で、脚ベース体２の外側よりねじ等を締め込んだ摺動タイプのものが知られており、脚ベース体２の取付け角度位置は多数の溝１ａより取付け角度位置に適した溝１ａを選択して、脚ベース体２の凸条嵌合部２ａを係合させていた。
【０００３】
他のこの種の従来例としては、図８に示すように、脚柱３をパイプ状にして、脚ベース体４の一端に円筒凸部４ａを形成し、この円筒凸部４ａを脚柱３の下端より挿入してねじ５により脚ベース体４を固定したねじ式のもので、円筒凸部４ａがパイプ内で回動できるので、脚ベース体４を希望設定位置に回動させた後、ねじ５を締め付けることで脚ベース体４の取付け角度位置を選択していた。
【０００４】
更に他の従来例としては、図９に示すように、脚ベース体６や脚ベース連結体７のテーパ面Ｔが形成されている脚柱側支持基部６Ａ，７Ａ及びテーパ面Ｔが形成された間隔片８をパイプ状脚柱９に対して希望角度位置になるようにして、脚柱９の中空部に下方より挿入し、脚柱９の上方より各テーパ面Ｔを外方に押し広げる拡張部材１０を下方よりねじ１１で移動させて、脚柱側支持基部６Ａ，７Ａと間隔片８を脚柱９の中空内面に押し付けることで、脚柱９に脚ベース体６や脚ベース連結体７を取付ける拡張型のものが知られていた。
【０００５】
【発明が解決しようとする課題】
しかしながら、図７に示した従来の取付け構造は、脚柱１に上下方向の多数の溝１ａを所定範囲に亘って製作しなけれがならず、製造コストが高くつき、しかも溝１ａが多数有るので、角度位置を決めるときに間違えやすく、また溝１ａ自体が外部にむき出しとなっているため、見栄えが良くないばかりでなく、埃等が溝内にたまったり、足等がぶつかって傷を負うような安全面からの心配もあった。
【０００６】
また、図８に示した従来の取付け構造は、ねじ５によって締め付けているだけなので、ねじがゆるんだり、少し大きな外力がかかると、円筒凸部４ａが脚柱３のパイプ内で回動してしまい、脚柱３に対する脚ベース体４の正確な位置決めが困難であった。
【０００７】
一方、図９に示した従来の取付け構造は、脚柱内に組み入れる部品が多く、組付け作業に手間がかかるばかりでなく、支持基部６Ａ、７Ａが脚柱の中空内面と沿うように成形されていても、面接触であるため外力により横ずれを起こす恐れもあった。
【０００８】
本発明は、このような状況に鑑みてなされたもので、脚柱に対して脚ベース体を容易に任意の角度位置に位置決めでき、位置決め後も位置ずれの恐れが無く、しかも脚ベース連結体が脚ベース体に対して任意の回動位置に固定することも可能なテーブルを提供することを目的とするものである。
【０００９】
【課題を解決するための手段】
上記課題を解決するために、本発明のテーブルは、複数の脚柱の下端にそれぞれ脚ベース体を取付け、前記脚柱の上方に天板を支持するテーブルであって、前記脚柱の下端に下方が開口する凹部を設けると共に、前記脚ベース体には前記凹部と嵌合する凸部を設け、互いに嵌合する前記凹部と凸部に、前記脚ベース体が前記脚柱に対して任意の角度位置に位置決めできる相互係合手段を設け、前記脚柱が円筒パイプであり、前記脚ベース体の前記凸部が円筒体であることを特徴としている。
この特徴によれば、凹凸部が嵌合するところに相互係合手段があるから、相互係合手段をはめ合わせるだけで、脚柱に対して脚ベース体が嵌合することができ組付け作業が極めて楽であり、また相互係合手段は外部に露出しないので、埃の付着の心配もなく、安全性も高い。そして脚ベース体がどの様な角度位置を取ろうとも、凹部と凸部の嵌合がいつも円筒内外面で嵌合しているから、脚柱と脚ベース体はしっかりとした嵌合組付け体として構成される。
【００１０】
本発明のテーブルは、前記相互係合手段が、前記脚柱の前記凹部内に脚の軸方向に延びる凸条と、前記脚ベース体の前記凸部の外周部に脚の軸方向に延びる凹条から成ることが好ましい。
このようにすれば、相互係合手段が、凸条と凹条の組合わせであるから外力が作用しても、すぐに脚ベース体が脚柱に対して相対回転してしまうような位置ずれの心配はない。
【００１１】
本発明のテーブルは、前記凹条は、前記脚ベース体が前記脚柱に対して１５度もしくは１５度の整数倍の角度位置で位置決めできるように形成されていることが好ましい。
このようにすれば、例えば３０度、４５度といった使用頻度の高い取付け角度位置に対しても正確に位置決めできるばかりでなく、脚ベース体の取付け角度の微細な調整が可能となる。
【００１３】
本発明のテーブルは、隣り合う前記脚ベース体の間には、脚ベース体に対して任意の回動位置に固定できる脚ベース連結体が配置されていることが好ましい。
このようにすれば、脚ベース体が脚柱に対して任意な角位置調整をした場合でも、常に脚ベース連結体を隣り合う脚ベース体に連結できるように位置調整できる。
【００１４】
本発明のテーブルは、前記脚柱と前記脚ベース体と前記脚ベース連結体とは、前記脚柱を貫通する１本のねじで一体に取付けられていることが好ましい。
このようにすれば、１本のねじで脚ベース体と脚ベース連結体を同時に脚柱に取付けることができる。
【００１５】
【発明の実施の形態】
以下、本発明の実施例を図面に基づいて説明すると、図１は天板の一部と２本の脚部が示された本発明のテーブルの組立分解図の斜視図であって、２本の脚部２０（２０Ａ、２０Ｂ）は、脚柱２２（２２Ａ、２２Ｂ）と、脚柱の下端に取り付けた脚ベース体２４（２４Ａ、２４Ｂ）と、それぞれの脚柱の上端に取付けた脚柱連結体２６と天板支持体２８（２８Ａ、２８Ｂ）とから成り、この脚柱連結体と天板支持体の上方に天板３０を支持するようになっている。脚柱連結体２６と天板支持体２８は、脚柱２２の上端に取付けられた受座３２に、固定ねじ３４を介して固定されている。
【００１６】
図１は天板３０の一端部の下方にある２本の脚部２０Ａ，２０Ｂを示したものであるから、脚柱を中心としてそれぞれ２本の脚柱連結体２６及び２本の天板支持体２８Ａ、２８Ｂが脚柱上端に取り付けられているが、脚部の天板を支持する場所によって、脚柱上端に取付ける脚柱連結体と天板支持体の数と方向は変更される。
【００１７】
本発明は脚柱２２に対して脚ベース体２４を任意の角度位置に位置決めできるようにしたものであり、更に具体的には脚柱と脚ベース体との取付け構造を示した図２及び図３に基づいて説明する。
【００１８】
図２は脚柱２２と脚ベース体２４が組付けられた状態を示す側面図であり、図３（ａ）は脚ベース体２４の上面図、（ｂ）はその底面図である。脚柱２２は、例えばパイプ状に構成され、その円筒内面２２ｂには、上端から下端まで相対する２本の凸条２２ａ（図１参照）が脚の軸方向に延びている。脚ベース体２４の脚柱２２との嵌合側には、脚柱２２の下端の凹部としての円筒内面２２ｂと嵌合する、凸部としての円筒嵌合部２４ａが設けられ、この円筒嵌合部の外周部には前述の２本の凸条２２ａと嵌合係合するする脚の軸方向に延びる１０個の凹条１５が形成され、これら凸条２２ａと凹条１５とで相互係合手段を構成している。
【００１９】
本実施例では、脚柱２２をパイプ状に構成してその円筒内面２２ａを凹部とし、脚ベース体２４の円筒嵌合部２４ａを凸部として説明したが、円筒内面として、脚柱をパイプに代えて中実のものにして、下端部分だけを円筒状にくり抜いたものであってもよい。また、凹部と凸部を逆にして、脚柱側に円筒凸部を形成し、脚ベース体側にその円筒凸部と嵌合する凹部を形成したものでもよい。
【００２０】
図３（ａ）に示すように、脚ベース体２４に形成した１０個の凹条１５は、脚ベース体２４の円筒嵌合部２４ａにおける中心軸線ｏ−ｏ上の一対の凹条１５ａ、１５ａと、中心軸線ｏ−ｏに対して３０度左回りに回転させた線分ｐ−ｐ上の一対の凹条１５ｂ、１５ｂと、中心軸線ｏ−ｏに対して同様に４５度左回りに回転させた線分ｑ−ｑ上の一対の凹条１５ｃ、１５ｃと、中心軸線ｏ−ｏに対して同様に３０度右回りに回転させた線分ｒ−ｒ上の一対の凹条１５ｄ、１５ｄと、中心軸線ｏ−ｏに対して同様に４５度右回りに回転させた線分ｓ−ｓ上の一対の凹条１５ｅ、１５ｅであり、これら凹条の内、対の凹条が、パイプ内面に形成した２つの凸条２２ａと嵌合係合することで、脚柱２２に対して脚ベース体２４が合計１０個の場所で位置決めされる。
【００２１】
本実施例における位置決めは、中心軸線ｏ−ｏに対して凹条１５を０度、３０度及び４５度の角度で割り出したものであるが、１５度もしくは１５度の整数倍の間隔で凹条を形成しておけば、脚ベース体２４の取付け角度の微細な調整が可能となる。なお、１５度もしくは１５度の整数倍の間隔で凹条を形成したものに限らず、多数の凹条を適宜設けて任意の回転位置に脚ベース体２４を固定できるように設計してもよい。そして、脚ベース体２４がどの角度位置を取ったとしても、脚ベース体２４の円筒嵌合部２４ａが脚柱２２の内面と嵌合するので、脚柱２２と脚ベース体２４はしっかりとした嵌合組付け体として構成される。このように、相互係合手段（凸条２２ａと凹条１５）をはめ合わせることにより、脚柱２２に対して脚ベース体２４が嵌合することができ組付け作業が極めて楽であり、また相互係合手段は外部に露出しないので、埃の付着の心配もなく、安全性も高い。
【００２２】
本実施例における相互係止手段は、凸条２２ａを２本、凹条１５を５対として説明したが、脚柱と脚ベース体が相対回転しないように構成されていればよく、従って、凸条２２ａ、凹条１５の数は適宜１本から複数本を設計仕様に基づき組み合わせ選定するものであり、また、凹条と凸条を逆にして、脚柱２２側に凹条を、脚ベース体２４側に凸条を設けたものであってもよい。要は、脚柱と脚ベース体との嵌合において、凹凸嵌合部に相対回転が防止できる相互係止手段が形成されていればよい。
【００２３】
一方、脚ベース体２４の脚柱２２との嵌合側と反対側に位置する部分には、床と接地する床当接体２４’（図１参照）が取付けられる係合凸部２４ｂが設けられている。脚ベース体２４の脚柱１２との嵌合側下部には、隣り合う脚ベース体２４Ｂを連結する脚ベース連結体４０（図１参照）の接続部４０Ａが任意の回転位置に固定できるように設けられている。
【００２４】
図４において、（ａ）は脚ベース連結体４０（図１参照）の接続部４０Ａの側面図であり（ｂ）はその上面図を表している。この接続部４０Ａの脚ベース側には、２本のピン４１ａが設けられ、中央にねじ孔４１ｂが形成され、下部には床当接体が取付けられる係合凸部４１ｃが設けられている。接続部４０Ａの脚ベース側と対向する側には、脚ベース連結体４０の中間連結部４０Ｂ（図１参照）と接続するためのＵ字状突部４１ｄが設けられて、ここに中間連結部４０Ｂとの結合のための２つのねじ孔４１ｅが形成されている。２本のピン４１ａは、脚ベース体２４の脚柱２２との嵌合側下部に設けた図３（ｂ）に示す５対のピン孔１５ａ’〜１５ｅ’の何れかの対と嵌合するもので、この５対のピン孔は、中心軸線ｙ’−ｙ’に対して４５度及び３０度左右に回転させた線分ｐ’−ｐ’、ｑ’−ｑ’、ｒ’−ｒ’、ｓ’−ｓ’および中心軸線ｙ’−ｙ’上に設けられており、脚ベース体２４が脚柱２２に対して３０度或いは４５度と角度変化させて取り付けても、常に脚ベース連結体４０の接続体４０Ａが隣の脚ベース体に向くように形成されている。
【００２５】
次に、接続体４０Ａの脚ベース体２４に対する取付けの一例について図５，６に基づき説明する。図５は、脚ベース体２４と接続部４０Ａの結合状態を示したもので、（ａ）は両者を直線状に結合したときの底面図であり、（ｂ）は脚ベース体２４を脚柱２２に対して４５度角変位して結合したときのたときの底面図であり、図６は脚部が中央と端部とで異なる一般的なテーブルの斜視図である。
【００２６】
図５（ａ）に示したように、脚ベース体２４と接続部４０Ａが一直線上に並ぶ場合は、例えば、図６のテーブルの中央部の下に使われている脚部３６として用いられ、接続部４０Ａのピン４１ａは線ｙ’−ｙ’上のピン孔１５ａ’、１５ａ’に嵌合している。図５（ｂ）に示したように脚柱に対して脚ベース体２４を外側に４５度向けたものは、例えば、図６のテーブルの端部の下に使われている脚部３８として用いられる。この場合、脚ベース体２４と脚柱２２とは、線ｓ−ｓ上の凹条１５ｅ、１５ｅ（図３（ａ））とパイプ内の凸条２２ａが嵌合し、脚ベース２４と接続部４０Ａとは、図３（ｂ）の中心線ｙ’−ｙ’に対して４５度傾いた線ｒ’−ｒ’上の対のピン孔１５ｅ’と接続部４０Ａの２本のピン４１ａとが嵌合している。このように、脚ベース体の取付け角度が異なる脚部を共通部材で構成することができるので、部品の共用化が図れる。
【００２７】
脚柱２２，脚ベース体２４及び接続部４０Ａの３者の接続は、図１に示すように、１本の通しねじ４２により行われる。通しねじ４２は、受座３２の上方より脚柱２２内を通って脚ベース体２４より接続部４０Ａのねじ孔４１ｂ（図４（ｂ）参照）まで達している。
【００２８】
【発明の効果】
本発明は以下の効果を奏する。
【００２９】
（ａ）請求項１項の発明によれば、凹凸部が嵌合するところに相互係合手段があるから、相互係合手段をはめ合わせるだけで、脚柱に対して脚ベース体が嵌合することができ組付け作業が極めて楽であり、また相互係合手段は外部に露出しないので、埃の付着の心配もなく、安全性も高い。そして脚ベース体がどの様な角度位置を取ろうとも、凹部と凸部の嵌合がいつも円筒内外面で嵌合しているから、脚柱と脚ベース体はしっかりとした嵌合組付け体として構成される。
【００３０】
（ｂ）請求項２項の発明によれば、相互係合手段が、凸条と凹条の組合わせであるから外力が作用しても、すぐに脚ベース体が脚柱に対して相対回転してしまうような位置ずれの心配はない。
【００３１】
（ｃ）請求項３項の発明によれば、例えば３０度、４５度といった使用頻度の高い取付け角度位置に対し正確に位置決めできるばかりでなく、脚ベース体の取付け角度の微細な調整が可能となる。
【００３３】
（ｄ）請求項４項の発明によれば、脚ベース体が脚柱に対して任意に角位置調整しても、脚ベース連結体は常に隣り合う脚ベース体に連結できるように位置調整できる。
【００３４】
（ｅ）請求項５項の発明によれば、１本のねじで脚ベース体と脚ベース連結体を同時に脚柱に取付けることができる。
【図面の簡単な説明】
【図１】天板の一部と２本の脚部を示した本発明のテーブルの組立分解図の斜視図である。
【図２】脚柱と脚ベース体が組付けられた状態を示す側面図である。
【図３】（ａ）は脚ベース体の上面図、（ｂ）はその底面図である。
【図４】（ａ）は脚ベース連結体の接続部の側面図であり（ｂ）はその上面図である。
【図５】脚ベース体と接続部の結合状態を示したもので、（ａ）は両者を直線状に結合したときの底面図であり、（ｂ）は脚ベース体を脚柱に対して４５度角変位して結合したときのたときの底面図である。
【図６】脚部が中央と端部とで異なる一般的なテーブルの斜視図である。
【図７】従来の摺動タイプの脚ベース体取付装置の斜視図である。
【図８】従来のねじ式の脚ベース体取付装置の斜視図である。
【図９】従来の拡張型脚ベース体取付装置の斜視図である。
【符号の説明】
１５（ａ〜ｅ）              凹条
１５（ａ’〜ｅ’）          ピン孔
２０（２０Ａ，２０Ｂ）      脚部
２２（２２Ａ，２２Ｂ）      脚柱
２２ａ                      凸条
２２ｂ                      円筒内面
２４（２４Ａ，２４Ｂ）      脚ベース体
２４ａ                      円筒嵌合部
２４ｂ                      係合凸部
２４’                      床当接体
２６                        脚柱連結体
２８（２８Ａ，２８Ｂ）      天板支持体
３０                        天板
３２                        受座
３４                        固定ねじ
３６                        脚部
３８                        脚部
４０                        脚ベース連結体
４０Ａ                      接続部
４１ａ                      ピン
４１ｂ                      ねじ孔
４１ｃ                      係合凸部
４１ｄ                      Ｕ字状突部
４１ｅ                      ねじ孔
４０Ｂ                      中間連結部
４２                        通しねじ
【図１】
0004536252.tif 000002
【図２】
0004536252.tif 000003
【図３】
0004536252.tif 000004
【図４】
0004536252.tif 000005
【図５】
0004536252.tif 000006
【図６】
0004536252.tif 000007
【図７】
0004536252.tif 000008
【図８】
0004536252.tif 000009
【図９】
0004536252.tif 000010